(57)【要約】      （修正有）【課題】使用者保持装置に電力を供給するためのシステム。【解決手段】イーサネット変圧器は、データおよび電力の両方の信号をイーサネット接続を介して受信し、使用者保持装置上に取り付けられた電池に電力を供給する。イーサネット変圧器はまた、データ信号を制御装置に供給する。【選択図】図２
2014140291.tif 000002
【特許請求の範囲】
【請求項１】
使用者保持装置と、
前記使用者保持装置に電力を供給するよう構成され、前記使用者保持装置に取り付けられている電池と、
データおよび電力の信号を受信するよう構成され、前記電池に電力を供給するよう構成されるイーサネット変圧器と、
を備えた電力供給システム。
【請求項２】
データおよび電力の信号を前記イーサネット変圧器に供給するよう構成されたイーサネットインターフェースをさらに備えた、請求項１に記載の電力供給システム。
【請求項３】
ネットワークインターフェースを備えたネットワークスイッチをさらに備え、前記ネットワークスイッチが、データおよび電力の信号を前記イーサネットインターフェースに供給するよう構成されている、請求項２に記載の電力供給システム。
【請求項４】
前記イーサネット変圧器からデータ信号を受け取るよう構成された制御装置をさらに備えた、請求項３に記載の電力供給システム。
【請求項５】
前記制御装置が制御信号を前記ネットワークスイッチに送信するよう構成されている、請求項４に記載の電力供給システム。
【請求項６】
前記イーサネット変圧器により前記電池に供給される電力が医用に分離されている、請求項１に記載の電力供給システム。
【請求項７】
前記電池が最大３０ボルトの電圧を供給するよう構成されている、請求項１に記載の電力供給システム。
【請求項８】
前記電池から電力を受け取るように構成された電圧調整器をさらに備えた、請求項１に記載の電力供給システム。
【請求項９】
前記電圧調整器が最大３ボルトの電圧を供給するよう構成されている、請求項８に記載の電力供給システム。
【請求項１０】
前記電池から電力を受け取るように構成されたアクチュエータをさらに備えた、請求項１に記載の電力供給システム。
【請求項１１】
前記電池が交流電源から電力を受け取るように構成された、請求項１に記載の電力供給システム。
【請求項１２】
前記電池により前記交流電源から受け取った電力が、医用に分離されている、請求項１１に記載の電力供給システム。
【請求項１３】
電力が前記交流電源および前記イーサネット変圧器から電源スイッチを介して前記電池に供給される、請求項１１に記載の電力供給システム。
【請求項１４】
前記電源スイッチに制御信号を供給するよう構成された制御装置をさらに備え、前記電源スイッチが、前記電池への、前記交流電源から受け取った電力と、前記イーサネット変圧器から受け取った電力との比率を調節するよう構成されている、請求項１１に記載の電力供給システム。
【請求項１５】
データおよび電力の信号を前記イーサネット変圧器に供給するよう構成されたイーサネットインターフェースをさらに備えた、請求項１１に記載の電力供給システム。
【請求項１６】
ネットワークインターフェースを備えたネットワークスイッチをさらに備え、前記ネットワークスイッチが、データおよび電力の信号を前記イーサネットインターフェースに供給するよう構成されている、請求項１５に記載の電力供給システム。
【請求項１７】
前記イーサネット変圧器からデータ信号を受け取るよう構成された制御装置をさらに備えた、請求項１６に記載の電力供給システム。
【請求項１８】
前記制御装置が制御信号を前記ネットワークスイッチに送信するよう構成されている、請求項１７に記載の電力供給システム。
【請求項１９】
前記イーサネット変圧器により前記電池に供給される電力が医用に分離されている、請求項１１に記載の電力供給システム。
【請求項２０】
前記電池が最大３０ボルトの電圧を供給するよう構成されている、請求項１１に記載の電力供給システム。
【請求項２１】
前記電池から電力を受け取るように構成された電圧調整器をさらに備えた、請求項１１に記載の電力供給システム。
【請求項２２】
前記電圧調整器が最大３ボルトの電圧を供給するよう構成されている、請求項２１に記載の電力供給システム。
【請求項２３】
イーサネット変圧器へのデータおよび電力の供給と、
前記イーサネット変圧器から電池への電力の供給とを含み、前記電池が前記使用者保持装置上に取り付けられている、使用者保持装置への電力供給方法。
【請求項２４】
前記イーサネット変圧器から制御装置へのデータの供給の操作をさらに含む、請求項２３に記載の方法。
【発明の詳細な説明】
【発明の概要】
【発明が解決しようとする課題】
【０００１】
使用者保持装置に電力を供給することは、継続的な課題である。使用者保持装置に電力を供給するためのシステムや方法がいくつか存在するものの、この分野での継続的な開発のための機会が存在する。
【課題を解決するための手段】
【０００２】
本開示には、添付した請求項に詳説に記述した特徴および／または単独あるいは任意の組み合わせにより特許性のある主題を構成しうる下記の特徴のうち一つ以上の特徴が含まれている。
【０００３】
電力供給システムの一つの実施形態は、使用者保持装置を備えうる。電池は、使用者保持装置上に取り付けることができ、また使用者保持装置に電力を供給するよう構成しうる。イーサネット変圧器は、データおよび電力の信号を受信するよう構成することができ、また電池に電力を供給するよう構成しうる。
【０００４】
使用者保持装置への電力供給方法の一実施形態は、イーサネット変圧器へのデータおよび電力の供給と、イーサネット変圧器から電池への電力の供給とで構成しうるが、その電池は使用者保持装置上に取り付けられる。
【０００５】
本明細書に組み込まれ、その一部を形成する添付の図面は、請求項に記載された主題のいくつかの態様を説明し、その説明と共に請求項に記載の主題の原理を説明する役割を果たす。添付図面は以下のとおりである。
【図面の簡単な説明】
【０００６】
【図１】本明細書で開示した一つ以上の原理に従って構成した、使用者保持装置の斜視図である。
【図２】使用者保持装置と併用するためのイーサネットによる電力供給システムの一実施形態を図示したブロック図であり、本明細書で開示した一つ以上の原理に従い構成されている。
【図３】使用者保持装置と併用するためのイーサネットによる電力供給システムの一実施形態を図示した別のブロック図であり、本明細書で開示した一つ以上の原理に従い構成されている。
【発明を実施するための形態】
【０００７】
請求項に記載された主題の実施形態およびそのさまざまな特徴と利点が、添付の図面に記述および／または説明された非限定的実施形態および実施例を参照してさらに詳しく説明され、以下の記述で詳述される。図面で説明された特徴は、必ずしも原寸に比例して描かれておらず、本明細書に明確に記述されていない場合でも、当業者であれば認識できるように一実施形態の特徴は他の実施形態で利用されうることに注意すべきである。記述された請求項の主題の実施形態を不必要に分かりにくくしないように、よく知られた部品および処理技術の記述は簡潔に言及されるか省略されうる。本明細書に使用された実施例は、請求項に記載された主題が実施されうる方法の理解を促進するため、およびさらに当業者が本明細書に記述された請求項の主題の実施形態を実施できるようにすることのみを目的としている。従って、本明細書の実施例および実施形態は例証にすぎず、添付の請求項および適用法によってのみ定義される請求項の主題の範囲を限定するものとして解釈されるべきでない。さらに、図面のいくつかの表示を通して、類似の参照番号は類似部分を表すことに注意されたい。
【０００８】
請求項に記載の主題は変化することがあるため、本明細書に記述された特定の方法、プロトコル、デバイス、装置、材料、適用などに限定されないことが理解される。本明細書に使用される用語は、特定の実施形態のみを記述する目的で使用されており、請求項に記載の主題の範囲を限定することを意図したものではないことも理解される。
【０００９】
他に定義されていない限り、本明細書で使用されたすべての専門用語および学術用語は、当業者によって一般的に理解されるものと同じ意味を持つ。
【００１０】
本明細書の主題は、イーサネット接続を介した使用者保持装置への電力供給を含む、使用者保持装置に電力を供給するためのシステムおよび方法を対象とする。
【００１１】
図１に示すとおり、使用者保持装置１０は、車輪１４上に保持された下部フレーム１２を備える。この実施形態では、使用者保持装置１０はベッドであり、また他の実施形態では、使用者保持装置１０は、ストレッチャーまたはその他任意の家具・備品としてもよい。体重測定フレーム１８は、図１に示すとおり、保持装置１６により保持され、また同装置によって、下部フレーム１２に対して可変的に上昇するよう構成されている。少なくとも一つのデッキ部分２０が、体重測定フレーム１８上で保持されている。この実施形態では、デッキ部分２０は、使用者の上体を保持するように構成された少なくとも一つの頭部保持デッキ部分と、使用者の座部分を保持するように構成された座部保持デッキ部分と、使用者の足を保持するように構成された足部保持デッキ部分を備えている。別の実施形態では、デッキ部分２０は任意の数の部分を備えうる。さらに別の実施形態では、体重測定フレーム１８は、デッキ部分２０の機能を果たすことができ、複数の部分から成りうる。使用者保持装置はまた、使用者保持装置１０の頭側端部を画定するヘッドボード２２と、足側端部を画定するフットボード２４と、側方の端部を画定するサイドレール２６も備える。マットレス２８は、この実施形態では使用者保持装置１０のデッキ部分２０上に載るように構成される。別の実施形態では、マットレス２８は、体重測定フレーム１８の上に載るように構成してもよい。流体供給源３０は、入口３２を通してマットレス２８に流体を供給するよう構成される。この実施形態では、流体供給源３０はコンプレッサ（圧縮機）であり、他の実施形態では、流体供給源３０はブロアーまたはポンプとしてもよい。図１に示す実施形態では、流体供給源は下部フレーム１２に取り付けられるが、別の実施形態では、流体供給源３０はフットボード２４に取り付けられる。他の実施形態では、流体供給源３０は、サイドレール２６またはデッキ部分２０など、使用者保持装置１０のその他任意の部分に取り付けてもよい。さらに別の実施形態では、流体供給源３０は床の上に置くよう構成してもよい。この実施形態では、流体供給源３０は、マットレス内にそれ専用の流体の流れを供給する目的でシステムに特定用途であるが、別の実施形態では、流体供給源３０はその他の用途のために流体を供給するように構成される。ユーザーインターフェース３４は、この実施形態で図１に示すようにサイドレール２６に取り付けられるが、別の実施形態では、ユーザーインターフェース３４は、手持ち式のペンダントとして構成される。さらに別の実施形態では、ユーザーインターフェース３４は、遠隔位置にあり、ベッドの制御装置と無線で交信するよう構成しうる。ユーザーインターフェース３４は、システムメッセージの表示、および／または介護者による制御パラメータの入力ができる。相対的な位置や動作の説明を分かりやすくするために、座標系を図１で開示している。図示したとおり、Ｘ軸は、使用者保持装置の幅の中心を通過するように設定されている。Ｙ軸は、Ｘ−Ｙ平面が実質的に体重測定フレームと並行になるように、Ｘ軸に直交する。Ｚ軸は、Ｘ−Ｙ平面に直交する。この実施形態でのロードセル３６である多数の力変換器は、この実施形態では、体重測定フレーム１８と下部フレーム１２の間に位置する。他の実施形態では、ロードセル３６は、デッキ部分２０と体重測定フレーム１８の間に配置してもよい。他の実施形態では、体重測定フレームは、使用者保持装置１０および／またはマットレス１２上のどの部位に取り付けてもよい。さらに別の実施形態では、ロードセル３６は、使用者保持装置１０および／またはマットレス１２の上に配置されたシーツに取り付けられる。ロードセル３６は、それらが受ける力を表す信号を生成するように構成され、またこの実施形態では、ロードセル３６は、電気信号を生成するように構成される一方、他の実施形態では、ロードセル３６は、光信号を含むがこれに限定されない任意のタイプの信号を生成しうる。他の実施形態では、その他任意のタイプの力変換器を、代替的に、および／またはロードセルと組み合わせて使用してもよい。
【００１２】
デッキ部分２０を調整できるように配置するために、従来的な構造や装置を提供することができ、またこうした従来的な構造や装置は、体重測定フレーム１８と下部フレーム１２の間、および／または体重測定フレーム１８とデッキ部分２０の間に連結された連結部、駆動部およびその他の可動部位や装置を含みうる。下部フレーム１２に対するデッキ部分２０およびマットレス２８の位置の制御は、一つの実施形態では、ユーザーインターフェース３４、マットレス位置制御パネル（図示せず）および／または多数のマットレス配置ペダル（図示せず）により提供される。
【００１３】
図１に示すネットワークスイッチ４０は、パワー・オーバー・イーサネット（ＰＯＥ）＋イーサネットインターフェース４４を備える。ＰＯＥ＋イーサネットインターフェース４４は、使用者保持装置１０と接続して、電力および／またはデータの転送ができるように構成されている。この実施形態では、ネットワークスイッチ４０は、病室の壁の後ろに配置されるが、別の実施形態では、ネットワークスイッチ４０は室内に配置される。
【００１４】
使用者保持装置の実施形態は、米国特許ＵＳ７２９６３１２号、ＵＳ６０４７４２４号、ＵＳ７１７６３９１号、ＵＳ７３３５８３９号、ＵＳ７４３７７８７号、ＵＳ７２５３３６６号および米国特許出願公報ＵＳ２００７／０２６６４９９号に記載があるが、これらすべてを参照により本明細書に組み込む。
【００１５】
図２は、使用者保持装置１０と併用するためのイーサネット（登録商標）による電力供給システム３８の一実施形態を図示したブロック図を示す。この実施形態では、イーサネット（登録商標）による電力供給システム３８はネットワークスイッチ４０を備える。ネットワークスイッチ４０は、病院ネットワーク６６と通信するよう構成されたネットワークインターフェース４２を備える。一実施形態では、ネットワークスイッチ４０は病院ネットワーク６６と無線で通信する。この実施形態では、ネットワークスイッチ４０は、電力およびデータを供給するよう構成されたＰＯＥ＋イーサネットインターフェース４４をさらに備える。この実施形態では、ＰＯＥ＋イーサネットインターフェース４４は、標準ＲＪ  ４５コネクターインターフェースである。ＰＯＥ＋イーサネットインターフェース４４は、この実施形態ではイーサネットケーブルを介して、データおよび電力をＰＯＥ＋イーサネット変圧器４６に供給するように構成されている。この実施形態では、ＰＯＥ＋イーサネット変圧器４６は、使用者保持装置１０の下部フレーム１２に取り付けられているが、他の実施形態では、ＰＯＥ＋イーサネット変圧器４６は、使用者保持装置１０のどこに取り付けてもよい。ＰＯＥ＋イーサネット変圧器４６は、ＰＯＥ＋イーサネットインターフェース４４から受信したデータおよび電力の信号を別々のデータ信号と電力信号に分離するよう構成されている。一実施形態では、ＰＯＥ＋イーサネットインターフェース４４は、信号のＤＣまたは平均成分として電力を伝送し、データはＡＣ成分として転送される。他の実施形態では、データ信号は任意の電力信号に重ね合わせうる。さらに別の実施形態では、データおよび電力は、イーサネットケーブル接続の別個のピンに伝送される。ＰＯＥ＋イーサネット変圧器４６は、電力信号をＰＯＥ電源４８に供給するよう構成されている。この実施形態では、ＰＯＥ電源４８は、スイッチング電源である。一実施形態では、ＰＯＥ電源４８は、少なくとも２５．５ワット（ＰＯＥ＋ガイドラインに準拠）を処理する能力があり、また別の実施形態では、ＰＯＥ電源４８は、少なくとも６０ワット（Ｕｎｉｖｅｒｓａｌ  ＰＯＥ（ＵＰＯＥ）ガイドラインに準拠）を処理する能力がある。他の実施形態では、ＰＯＥ電源４８は、任意の電力量を処理できる定格である。ＰＯＥ電源４８は、ＤＣ／ＤＣコンバータ５２に電力を供給するよう構成される。ＤＣ／ＤＣコンバータ５２は、ＰＯＥ電源４８から受け取った電力の医用分離を提供するよう構成されている電源である。この実施形態では、電力の分離は、ＩＥＣ  ６０６０１規格に準拠するが、他の実施形態では、電力の医用分離は、任意の規格に準拠しうる。ＤＣ／ＤＣコンバータ５２はまた、一つの実施形態では降圧型変圧器としての役目もする。分離された電力は、この実施形態ではＤＣ／ＤＣコンバータ５２によって充電装置回路５８に供給される。この実施形態の充電装置回路５８は、分離された電力を電池６０用の充電電圧および／または電流に変換する。別の実施形態では、複数の電池６０が、充電装置回路５８により充電される。充電装置回路５８は、回路基板に取り付けられるように構成されており、これが次にこの実施形態では下部フレーム１２上に取り付けられる。他の実施形態では、充電装置回路５８を備えた回路基板は、使用者保持装置１０のどこにでも取り付けうる。この実施形態では、電池６０は、リチウムイオン電池（Ｌｉ−ｉｏｎ）であり、使用者保持装置１０の下部フレーム１２に取り付けられる。他の実施形態では、電池６０は、ニッケルカドミウム（ＮｉＣｄ）やニッケル水素（ＮｉＭＨ）を含むがこれに限定されない任意のタイプとしうる。他の実施形態では、電池６０は、使用者保持装置１０のどこにでも取り付けうる。この実施形態では、電池６０は、最大３０ボルトの電圧を供給するよう構成されており、一実施形態では、電池６０は、２５〜３０ボルトの範囲の電圧を供給するよう構成されている。他の実施形態では、電池６０は、任意の電圧を供給するよう構成しうる。少なくとも一つのアクチュエータ６２および／または電圧調整器６４は、電池６０から電力を受けるよう構成されている。一実施形態では、アクチュエータ６２は、使用者保持装置１０の一部を作動するように構成され、別の実施形態では、複数のアクチュエータが、電池６０からの電力の供給を受ける。一つの模範的実施形態では、アクチュエータ６２は、下部フレーム１２に対して体重測定フレーム１８を上昇させるように構成されている。電圧調整器６４は、電池６０からの電力を受け、特定の電圧範囲内で他の装置に電力を供給するよう構成されている。一つの模範的実施形態では、電圧調整器６４は、最大３ボルトの電圧を供給するよう構成されている。
【００１６】
ＰＯＥ＋イーサネット変圧器４６は、図１に示す実施形態のＰＯＥ＋イーサネットインターフェース４４から受信した信号からデータ信号を分離した後で、データ信号をイーサネットデータ分離モジュール５４に供給する。イーサネットデータ分離モジュール５４は、ＰＯＥ＋イーサネット変圧器４６から受信したデータに医用分離を提供し、データ信号を制御装置５６に供給するよう構成されている。この実施形態では、制御装置５６は、マイクロコントローラであり、回路基板上に取り付けられている。一実施形態では、制御装置５６は、充電装置回路５８と同一の回路基板上に取り付けられるが、別の実施形態では、制御装置５６は、使用者保持装置１０上の任意の場所にある独立した回路基板上に取り付けられる。この実施形態では、制御装置５６は、リンク  レイヤ検出プロトコル（Ｌｉｎｋ  Ｌａｙｅｒ  Ｄｉｓｃｏｖｅｒｙ  Ｐｒｏｔｏｃｏｌ）を介してネットワークスイッチ４０と通信し、さらなる電力を要求するよう構成されている。図２に示す実施形態では、イーサネット（登録商標）による電力供給システム３８により、病院用ベッド用のデータと電力の両方が、イーサネットポートを通して供給され、メンテナンスおよび／またはセットアップのために、および／または搬送中に介護者が管理することになるケーブルの数が低減される。
【００１７】
図３は、使用者保持装置１０と併用するためのイーサネット（登録商標）による電力供給システム３８の別の実施形態を図示したブロック図を示す。この実施形態では、イーサネット（登録商標）による電力供給システム３８はネットワークスイッチ４０を備える。ネットワークスイッチ４０は、病院ネットワーク６６と通信するよう構成されたネットワークインターフェース４２を備える。この実施形態では、ネットワークスイッチ４０は、電力およびデータを供給するよう構成されたＰＯＥ＋イーサネットインターフェース４４をさらに備える。この実施形態では、ＰＯＥ＋イーサネットインターフェース４４は、標準ＲＪ  ４５コネクターインターフェースである。この実施形態では、ネットワークスイッチ４０は、病室の壁の後ろに配置されるが、別の実施形態では、ネットワークスイッチ４０は病室内に配置される。ＰＯＥ＋イーサネットインターフェース４４は、この実施形態ではイーサネットケーブルを介して、データおよび電力をＰＯＥ＋イーサネット変圧器４６に供給するように構成されている。この実施形態では、ＰＯＥ＋イーサネット変圧器４６は、使用者保持装置１０の下部フレーム１２に取り付けられているが、他の実施形態では、ＰＯＥ＋イーサネット変圧器４６は、使用者保持装置１０のどこに取り付けてもよい。ＰＯＥ＋イーサネット変圧器４６は、ＰＯＥ＋イーサネットインターフェース４４から受信したデータおよび電力の信号を別々のデータ信号と電力信号に分離するよう構成されている。一実施形態では、ＰＯＥ＋イーサネットインターフェース４４は、電力を信号のＤＣ成分として伝送し、データはＡＣ成分として転送される。他の実施形態では、データ信号は任意の電力信号に重ね合わせうる。さらに別の実施形態では、データおよび電力は、イーサネットケーブル接続の別個のピンに伝送される。ＰＯＥ＋イーサネット変圧器４６は、電力信号をＰＯＥ電源４８に供給するよう構成されている。この実施形態では、ＰＯＥ電源４８は、スイッチング電源である。一実施形態では、ＰＯＥ電源４８は、少なくとも２５．５ワット（ＰＯＥ＋ガイドラインに準拠）を処理する能力があり、また別の実施形態では、ＰＯＥ電源４８は、少なくとも６０ワット（Ｕｎｉｖｅｒｓａｌ  ＰＯＥ（ＵＰＯＥ）ガイドラインに準拠）を処理する能力がある。ＰＯＥ電源４８は、ＤＣ／ＤＣコンバータ５２に電力を供給するよう構成される。ＤＣ／ＤＣコンバータ５２は、ＰＯＥ電源４８から受け取った電力を、医用に分離された電力に変換するよう構成されている電源である。この実施形態では、ＤＣ／ＤＣコンバータ５２により供給される医用に分離された電力は、ＩＥＣ  ６０６０１規格に準拠するが、他の実施形態では、ＤＣ／ＤＣコンバータ５２により供給される医用に分離された電力は、任意の規格に準拠しうる。ＤＣ／ＤＣコンバータ５２はまた、一つの実施形態では降圧型変圧器としての役目もする。
【００１８】
医用に分離された電力は、この実施形態ではＤＣ／ＤＣコンバータ５２によって電源スイッチ７２に供給される。交流（ＡＣ）電源、ＡＣプラグ６８は、電力をＡＣ／ＤＣ電源７０に供給するよう構成されている。この実施形態では、ＡＣプラグ６８は壁コンセントであるが、他の実施形態では、ＡＣプラグはテーブルタップでもよい。ＡＣ／ＤＣ電源７０は、この実施形態では下部フレーム１２に取り付けられるが、他の実施形態では、ＡＣ／ＤＣ電源７０は、使用者保持装置１０のどこにでも取り付けられうる。一実施形態では、ＡＣ／ＤＣ電源７０は、スイッチ式電源であるが、別の実施形態ではＡＣ／ＤＣ電源７０は、リニア電源である。ＡＣ／ＤＣ電源７０は、ＡＣプラグ６８から受け取ったＡＣ電力をＤＣ電力に変換する。ＡＣ／ＤＣ電源７０は、ＡＣプラグ６８から受け取った電力の医用分離を提供するよう構成されている。この実施形態では、医用分離は、ＩＥＣ  ６０６０１規格に準拠するが、他の実施形態では、ＡＣ／ＤＣ電源７０により供給された分離電力は、任意の規格に準拠しうる。ＡＣ／ＤＣ電源７０はまた、一つの実施形態では降圧型変圧器としての役目もする。ＡＣ／ＤＣ電源７０は、電源スイッチ７２に電力を供給する。
【００１９】
電源スイッチ７２は、この実施形態ではＡＣ／ＤＣ電源７０とＤＣ／ＤＣコンバータ５２の両方から電力を受け取るよう構成されている。電源スイッチ７２は、回路基板上に取り付けられているが、電源スイッチ７２は、使用者保持装置１０のどこにでも取り付けられうる。電源スイッチ７２によって、一つの実施形態ではＡＣ／ＤＣ電源７０からとＤＣ／ＤＣコンバータ５２からの電源間のスイッチングが許容される。別の実施形態では、電源スイッチ７２は、ＡＣ／ＤＣ電源７０とＤＣ／ＤＣコンバータ５２の両方からの電力を充電装置回路５８に供給するよう構成されている。電源スイッチ７２は、この実施形態では制御装置５６により作動するが、別の実施形態では、電源スイッチ７２の動作は、ユーザーインターフェース（図示せず）を介したユーザー入力によりコントロールされるよう構成される。別の実施形態では、電源スイッチ７２は省略され、ＡＣ／ＤＣ電源７０とＤＣ／ＤＣコンバータ５２の両方からの電力は、充電装置５８に直接供給される。
【００２０】
この実施形態の充電装置回路５８は、医用に分離された電力を電池６０用の充電電圧および／または電流に変換する。別の実施形態では、複数の電池６０が、充電装置回路５８により充電される。充電装置回路５８は、回路基板に取り付けられるように構成されており、これが次にこの実施形態では下部フレーム１２上に取り付けられる。他の実施形態では、充電装置回路５８を備えた回路基板は、使用者保持装置１０のどこにでも取り付けうる。一実施形態では、充電装置回路５８は、電源スイッチ７２と同じ回路基板に取り付けられる。この実施形態では、電池６０は、リチウムイオン電池（Ｌｉ−ｉｏｎ）であり、使用者保持装置１０の下部フレーム１２に取り付けられる。他の実施形態では、電池６０は、ニッケルカドミウム（ＮｉＣｄ）やニッケル水素（ＮｉＭＨ）を含むがこれに限定されない任意のタイプとしうる。他の実施形態では、電池６０は、使用者保持装置１０のどこにでも取り付けうる。この実施形態では、電池６０は、最大３０ボルトの電圧を供給するよう構成されており、一実施形態では、電池６０は、２５〜３０ボルトの範囲の電圧を供給するよう構成されている。他の実施形態では、電池６０は、任意の電圧を供給するよう構成しうる。少なくとも一つのアクチュエータ６２および／または電圧調整器６４は、電池６０から電力を受けるよう構成されている。一実施形態では、アクチュエータ６２は、使用者保持装置１０の一部を作動するように構成され、別の実施形態では、複数のアクチュエータが、電池６０からの電力の供給を受ける。一つの模範的実施形態では、アクチュエータ６２は、下部フレーム１２に対して体重測定フレーム１８を上昇させるように構成されている。一実施形態では、アクチュエータは、発電機の役目をすることにより、電池６０を充電するよう構成されている。電圧調整器６４は、電池６０からの電力を受け、特定の電圧範囲内で他の装置に電力を供給するよう構成されている。一つの模範的実施形態では、電圧調整器６４は、最大３ボルトの電圧を供給するよう構成されている。
【００２１】
ＰＯＥ＋イーサネット変圧器４６は、図１に示す実施形態のＰＯＥ＋イーサネットインターフェース４４から受信した信号からデータ信号を分離した後で、データ信号をイーサネットデータ分離モジュール５４に供給する。イーサネットデータ分離モジュール５４は、ＰＯＥ＋イーサネット変圧器４６から受信したデータの医用分離を提供し、分離データ信号を制御装置５６に供給するよう構成されている。この実施形態では、制御装置５６は、マイクロコントローラであり、回路基板上に取り付けられている。一実施形態では、制御装置５６は、充電装置回路５８と同一の回路基板上に取り付けられるが、別の実施形態では、制御装置５６は、使用者保持装置１０上の任意の場所にある独立した回路基板上に取り付けられる。この実施形態では、制御装置５６は、リンク  レイヤ検出プロトコル（Ｌｉｎｋ  Ｌａｙｅｒ  Ｄｉｓｃｏｖｅｒｙ  Ｐｒｏｔｏｃｏｌ）を介してネットワークスイッチ４０と通信し、さらなる電力を要求するよう構成されている。
【００２２】
主題の記述の原文の文脈における（特に以下の請求項の文脈における）「ａ」および「ａｎ」および「ｔｈｅ」および類似の指示対象は、本明細書に別段の指示があるか、または文脈によって明らかに矛盾しない限り、単数形および複数形の両方を含むと解釈されるべきである。本明細書の値の範囲の記述は、本明細書に別段の指示がない限り、単に、その範囲内にある別々の各値を個別に言及することの簡単な方法としての役割を果たすことを目的とし、別々の各値はそれが本明細書で個別に記述されたかのように本明細書に組み込まれる。さらに、求められる保護の範囲は、本明細書に記述される請求項およびその権利がある任意の均等物によって定義されるため、前述の説明は例示のみを目的としており、限定することを目的としたものではない。本明細書で提供されるすべての実施例、または例示的用語（例えば、「などの」）は、主題をより良く説明することのみを目的とするものであり、別段主張されない限り、本主題の範囲に関する限定をもたらさない。請求項および記載説明の両方において、結果をもたらす状態を示す「〜に基づく」という用語および類似の句の使用は、その結果をもたらす他の状態を除外することを意図しない。本明細書のどの言葉も、任意の非請求要素が請求される本発明の実施に必須であることを示していると解釈されるべきではない。
【００２３】
請求項に記載の主題を実行するために発明者が把握している最適モードを含む好適な実施形態が、本明細書に記述されている。もちろん、これらの好適実施形態の変形は、前述の説明を読めば当業者には明らかとなる。発明者は、当該技術分野の専門家がこのような変形を適宜採用することを予測しており、発明者は、請求項に記載の主題が本明細書に特に記述されたものとは別の方法で実施されることを意図している。従って、この請求対象の主題は、適用法で認められる限り、本明細書に添付の請求項で記述された主題の変更および均等物のすべてを含む。さらに、本明細書に別段の指示があるか、または文脈によって明らかに矛盾しない限り、上述の要素の可能なすべての変形の任意の組み合わせが包含される。
【００２４】
上記に引用された任意の参考文献および出版物の開示は、参照によりそれぞれが個別に組み込まれたかのように同じ程度で、参照によってその全体が明示的に組み込まれる。
【図１】
2014140291.tif 000003
【図２】
2014140291.tif 000004
【図３】
2014140291.tif 000005
【外国語明細書】
2014140291.tif 000006
2014140291.tif 000007
2014140291.tif 000008
2014140291.tif 000009
2014140291.tif 000010
2014140291.tif 000011
2014140291.tif 000012
2014140291.tif 000013
2014140291.tif 000014
2014140291.tif 000015
2014140291.tif 000016
2014140291.tif 000017
2014140291.tif 000018
2014140291.tif 000019
2014140291.tif 000020
2014140291.tif 000021
2014140291.tif 000022
2014140291.tif 000023